(57)【要約】【課題】テーブルや机等の什器の平坦面を照らすことができる一方、非使用時には当該平坦面より鉛直方向上方に突出しない形態をとることができる照明具を提供する。【解決手段】照明具１は、光照射部２を有する本体部１０を備えており、略水平に配置された上向きの平坦面１１０を有する什器１００に本体部１０が取付部２０を介して取り付けられる。本体部１０は、取付部２０を介して什器１００の側面１２０に取り付けられており、側面１２０に略直交する本体回動軸Ａ1を中心として回動することにより第一の形態から第二の形態へと移行する。第一の形態においては、本体部１０が略直方体状を呈する筐体として構成され、筐体の上面１０ａが平坦面１１０と略面一となるように配置される。第二の形態においては、本体部１０の光照射部２が平坦面１１０よりも鉛直方向上方に位置して光照射部２から平坦面１１０へと光を照射する。【選択図】図３
2020194750.tif 000002
【特許請求の範囲】
【請求項１】
光を照射する光照射部を有する本体部と、略水平に配置された上向きの平坦面を有する什器に前記本体部を取り付けるための取付部と、を備える照明具であって、
前記本体部は、前記平坦面に連なる少なくとも一つの側面に略直交する本体回動軸を中心として回動するように前記取付部を介して前記側面に取り付けられるとともに、前記本体回動軸を中心として回動することにより第一の形態から第二の形態へと移行するように構成されており、
前記第一の形態においては、前記本体部が略直方体状を呈する筐体として構成されるとともに、前記筐体の上面が前記平坦面と略面一となるように又は前記平坦面よりも鉛直方向下方に位置するように配置され、
前記第二の形態においては、前記本体部の前記光照射部が前記平坦面よりも鉛直方向上方に位置して前記光照射部から前記平坦面の少なくとも一部へと光を照射することを可能とする、照明具。
【請求項２】
前記第一の形態において、前記筐体は、長手方向における寸法が幅方向及び厚さ方向における寸法よりも長くかつ厚さ方向における寸法が幅方向における寸法よりも短い長尺薄型の筐体として構成され、前記平坦面の少なくとも一つの辺に沿って前記筐体の長手方向が延在するようにかつ前記平坦面に略平行に前記筐体の厚さ方向が延在するように配置される、請求項１に記載の照明具。
【請求項３】
前記本体部は、前記側面に前記取付部を介して取り付けられる部分となる長手方向の第一端部と、前記第一端部の反対側に位置する第二端部と、を有する長尺薄型の第一部材と、前記本体回動軸と略直交する部材回動軸を中心として前記第一部材に対して回動するように前記第二端部付近に回動可能に取り付けられる長尺薄型の第二部材と、を有し、
前記本体部は、前記第一の形態において、前記第一部材と前記第二部材とが重ねられた状態で同一方向に延在して前記筐体を構成し、
前記本体部は、前記第一の形態から前記第二の形態へと移行する際に、前記第一部材の前記第二端部が前記平坦面よりも鉛直方向上方に位置するように前記筐体が前記本体回動軸を中心として前記側面に対して回動し、かつ、前記第二部材が前記第一部材に対して所定の角度をなすように前記第二部材が前記部材回動軸を中心として前記第一部材に対して回動し、前記第二部材の前記回動に連動して前記光照射部が光を照射するように構成されており、
前記光照射部は、前記第二部材の前記第一部材と対向する面に設けられている、請求項２に記載の照明具。
【請求項４】
前記第一部材は、前記第二部材を格納する凹部を有し、
前記凹部には、前記第二部材の前記部材回動軸と反対側の端部と対向する斜面部が設けられており、
前記斜面部には、前記光照射部のスイッチが設けられており、
前記第一の形態においては、前記第一部材と前記第二部材とが重ねられて前記第二部材の前記端部が前記斜面部に対向することにより前記斜面部が被覆され、
前記第二の形態においては、前記第二部材が前記第一部材に対して回動することにより前記斜面部が露出するように構成されている、請求項３に記載の照明具。
【請求項５】
前記第一部材の前記斜面部と前記第二部材の端部とは、磁力によって引き合うように構成されている、請求項４に記載の照明具。
【請求項６】
電源供給用及び／又は信号伝送用の端子部を備え、
前記端子部は、第一の形態において前記筐体の前記上面とは異なる面に配置されるように設けられている、請求項１から５の何れか一項に記載の照明具。
【請求項７】
請求項１から６の何れか一項に記載の照明具が取り付けられた、什器。
【発明の詳細な説明】
【技術分野】
【０００１】
本発明は、照明具及び什器に関する。
【背景技術】
【０００２】
従来より、テーブルや机等の什器の平坦面に載置されて使用に供される照明具が提案され、実用化されている。例えば、什器の平坦面に立位状態で載置される脚部と、この脚部に対して上下方向に回動可能に取り付けられる腕部と、この腕部の先端に設けられた光源部と、を有し、非使用時には腕部を脚部に寄せて折り畳むことを可能にする一方、使用時には脚部と腕部とが所定の角度をなすように腕部を回動させ光源部から平坦面に向けて光を照射することを可能にした卓上スタンドが提案されている（特許文献１参照）。
【０００３】
また、近年においては、テーブルや机等の什器の平坦面に載置される代わりに、当該什器の縁部に直接取り付けられた状態で使用に供される照明具も提案されている。例えば、鉛直方向に延在する支持ユニットの一端を、Ｃ型クランプを介してテーブルの縁部に固定し、この支持ユニットの他端に複数の照明ユニットを回動可能に取り付け、非使用時には照明ユニットを支持ユニットに寄せて折り畳むことを可能にする一方、使用時には照明ユニットを回動させて光を照射することを可能にした折り畳み式ランプ構造が提案されている（特許文献２参照）。
【先行技術文献】
【特許文献】
【０００４】
【特許文献１】特許第６１６７３９９公報
【特許文献２】実用新案登録第３１４０６１５公報
【発明の概要】
【発明が解決しようとする課題】
【０００５】
特許文献１及び特許文献２に開示されたような従来の照明具は、什器の平坦面を照らす必要がないときには腕部（照明ユニット）を脚部（支持ユニット）に寄せて折り畳むことができるため、什器の平坦面上に占めるスペースを縮小することができる。しかし、照明具の構成が依然として平坦面より鉛直方向上方に突出しているため、ユーザが什器の平坦面を使用して作業を行う場合に、照明具がユーザの作業を妨げる虞があった。
【０００６】
本発明は、かかる事情に鑑みてなされたものであり、テーブルや机等の什器の平坦面を照らすことができる一方、非使用時（当該平坦面を照らす必要がないとき）には当該平坦面より鉛直方向上方に突出しない形態をとることができる照明具を提供することを目的とする。
【課題を解決するための手段】
【０００７】
前記目的を達成するため、本発明に係る照明具は、光を照射する光照射部を有する本体部と、略水平に配置された上向きの平坦面を有する什器に本体部を取り付けるための取付部と、を備えるものであって、本体部は、平坦面に連なる少なくとも一つの側面に略直交する本体回動軸を中心として回動するように取付部を介して側面に取り付けられるとともに、本体回動軸を中心として回動することにより第一の形態から第二の形態へと移行するように構成されており、第一の形態においては、本体部が略直方体状を呈する筐体として構成されるとともに、筐体の上面が平坦面と略面一となるように又は平坦面よりも鉛直方向下方に位置するように配置され、第二の形態においては、本体部の光照射部が平坦面よりも鉛直方向上方に位置して光照射部から平坦面の少なくとも一部へと光を照射することを可能とするものである。
【０００８】
かかる構成を採用すると、本照明具の本体部は、什器の平坦面を照らす必要がないときには「第一の形態」をとり、什器の平坦面を照らす必要があるときには「第二の形態」をとることができる。「第一の形態」においては、本体部は略直方体状を呈する筐体とされ、筐体の上面が平坦面と略面一となる（又は平坦面よりも鉛直下方に位置する）ように配置されるため、本体部が什器の平坦面より鉛直方向上方に突出することがない。従って、ユーザが什器の平坦面を使用して作業を行う際に、本体部がユーザの作業を妨げることを防止することができる。一方、「第二の形態」においては、本体部の光照射部が平坦面よりも鉛直方向上方に位置し、光照射部から平坦面の少なくとも一部へと光を照射することができる。
【０００９】
本発明に係る照明具において、第一の形態において、筐体を、長手方向における寸法が幅方向及び厚さ方向における寸法よりも長くかつ厚さ方向における寸法が幅方向における寸法よりも短い長尺薄型の筐体として構成するとともに、平坦面の少なくとも一つの辺に沿って筐体の長手方向が延在するようにかつ平坦面に略平行に筐体の厚さ方向が延在するように配置することができる。
【００１０】
かかる構成を採用すると、長手方向における寸法が幅方向及び厚さ方向における寸法よりも長くかつ厚さ方向における寸法が幅方向における寸法よりも短い長尺薄型の筐体を採用し、第一の形態において、什器の平坦面の少なくとも一つの辺に沿って筐体の長手方向が延在するようにかつ平坦面に略平行に筐体の厚さ方向が延在するように照明具を配置することができる。従って、第一の形態における本体部が什器の側面から側方へと突出する寸法を最小限（最も短い厚さ方向における寸法）とすることができるため、第一の形態における本体部がユーザの作業を妨げることをより効果的に防止することができる。
【００１１】
本発明に係る照明具において、側面に取付部を介して取り付けられる部分となる長手方向の第一端部と、第一端部の反対側に位置する第二端部と、を有する長尺薄型の第一部材と、本体回動軸と略直交する部材回動軸を中心として第一部材に対して回動するように第二端部付近に回動可能に取り付けられる長尺薄型の第二部材と、を有する本体部を採用することができる。また、本体部は、第一の形態において、第一部材と第二部材とを重ねた状態で同一方向に延在して筐体を構成することができる。さらに、本体部は、第一の形態から第二の形態へと移行する際に、第一部材の第二端部が平坦面よりも鉛直方向上方に位置するように筐体が本体回動軸を中心として側面に対して回動し、かつ、第二部材が第一部材に対して所定の角度をなすように第二部材が部材回動軸を中心として第一部材に対して回動し、第二部材の回動に連動して光照射部が光を照射するように構成することができる。この際、光照射部を、第二部材の第一部材と対向する面に設けることができる。
【００１２】
かかる構成を採用すると、第一の形態においては、長尺薄型の第一部材と第二部材とを重ねた状態で同一方向に延在させて筐体を構成することができる。また、第一の形態から第二の形態へと移行する際に、第一部材の第二端部が什器の平坦面よりも鉛直方向上方に位置するように本体回動軸を中心として側面に対して筐体を回動させ、かつ、第二部材が第一部材に対して所定の角度をなすように部材回動軸を中心として第一部材に対して第二部材を回動させ、第二部材の回動に連動させて光照射部を照射することができる。すなわち、二段階の回動動作を経て自動的に光照射部を作動させて光を照射することができる。
【００１３】
本発明に係る照明具において、第一部材は、第二部材を格納する凹部を有することができる。この際、凹部には、第二部材の部材回動軸と反対側の端部と対向する斜面部を設けることができ、斜面部には、光照射部のスイッチを設けることができる。そして、第一の形態においては、第一部材と第二部材とを重ねて第二部材の端部を斜面部に対向させることにより斜面部を被覆し、第二の形態においては、第二部材を第一部材に対して回動させることにより斜面部を露出させるように構成することができる。
【００１４】
かかる構成を採用すると、第一の形態においては、光照射部のスイッチが設けられた第一部材の斜面部を第二部材の端部によって被覆して保護することができる。一方、第二の形態においては、第二部材を第一部材に対して回動させて斜面部を露出させ、スイッチを操作することができる。また、第一部材の斜面部に光照射部のスイッチが設けられているため、操作性を向上させることができる。さらに、第一部材の凹部に斜面部を設けることにより、第二部材の端部の形状が歪んでいる場合においても第二部材を第一部材に密着させることができる（第一部材の凹部に斜面部が設けられていないと、第二部材の端部の形状が歪んでいる場合に第二部材の角が第一部材に当たって第二部材が第一部材の凹部に嵌合しない可能性がある）。また、第一部材の凹部に斜面部を設けることにより、第一部材をよりシャープに見せることができ、照明具の美観を向上させることができる。
【００１５】
本発明に係る照明具において、第一部材の斜面部と第二部材の端部とを、磁力によって引き合うように構成することができる。
【００１６】
かかる構成を採用すると、第一部材の斜面部と第二部材の端部とが、磁力によって引き合うように構成されているため、第一の形態において、第一部材の斜面部から第二部材の端部が離隔して斜面部が露出することを防ぐことができる。
【００１７】
本発明に係る照明具において、電源供給用及び／又は信号伝送用の端子部を備えることができる。かかる場合において、端子部が第一の形態において筐体の上面とは異なる面に配置されるように、端子部を設けることができる。
【００１８】
かかる構成を採用すると、電源供給用及び／又は信号伝送用の端子部を、第一の形態において筐体の上面とは異なる面に配置しているため、第一の形態における筐体の上面を什器の平坦面と略面一とする（又は平坦面よりも鉛直下方に位置させる）ように照明具を配置したときに端子部が露出することを防ぐことができ、端子部に異物が侵入することを防止することができる。
【発明の効果】
【００１９】
本発明によれば、テーブルや机等の什器の平坦面を照らすことができる一方、非使用時には当該平坦面より鉛直方向上方に突出しない形態をとることができる照明具を提供することが可能となる。
【図面の簡単な説明】
【００２０】
【図１】本発明の実施形態に係る照明具の本体部を閉じた状態の斜視図である。
【図２】本発明の実施形態に係る照明具の本体部を開いた状態の斜視図である。
【図３】本発明の実施形態に係る照明具をテーブルの縁部に取り付けて本体部の上面をテーブルの平坦面と略面一にした状態を示す斜視図である。
【図４】本発明の実施形態に係る照明具の本体部を図３の状態から本体回動軸を中心に回動させた状態を示す斜視図である。
【図５】本発明の実施形態に係る照明具の本体部の第二部材を図４の状態から部材回転軸を中心に回動させた状態を示す斜視図である。
【発明を実施するための形態】
【００２１】
以下、図面を参照して、本発明の実施形態について説明する。なお、以下の実施形態はあくまでも好適な適用例であって、本発明の適用範囲がこれに限定されるものではない。
【００２２】
まず、図１〜図３を用いて、本発明の実施形態に係る照明具１の構成について説明する。本実施形態に係る照明具１は、光を照射する光照射部２（図２参照）を備えており、略水平に配置された上向きの平坦面１１０を有するテーブル１００（図３〜図５参照）に取り付けられた状態で、光照射部２によって平坦面１１０を照らすように機能するものである。照明具１は、図１に示すように、光照射部２を有する本体部１０と、本体部１０をテーブル１００に取り付けるための取付部２０と、を備えている。
【００２３】
本体部１０は、光照射部２を使用しない状態においては、図１及び図３に示すように略直方体状を呈する筐体として構成されており、テーブル１００の平坦面１１０に連なる側面１２０に略直交する本体回動軸Ａ1を中心として側面１２０に対して回動するように、取付部２０を介して側面１２０に取り付けられている。
【００２４】
本体部１０は、図３に示すように、取付部２０に取り付けられる部分となる長手方向の端部（第一端部）１１ａと、第一端部１１ａの反対側に位置する端部（第二端部）１１ｂと、を有する長尺薄型の第一部材１１を有している。また、本体部１０は、図１〜図３に示すように、本体回動軸Ａ1と略直交する部材回動軸Ａ2を中心として第一部材１１に対して回動するように第二端部１１ｂ付近に回動可能に取り付けられる長尺薄型の第二部材１２を有している。第二部材１２は、第一部材１１の第二端部１１ｂ付近に取り付けられる端部（基端部）１２ａと、基端部１２ａの反対側に位置する端部（先端部）１２ｂと、を有している。光照射部２は、図２に示すように、第二部材１２の第一部材１１と対向する面１２ｃに設けられている。
【００２５】
光照射部２は、後述するスイッチ３０により電源がＯＮになっている状態で本体部１０の第二部材１２が第一部材１１に対して所定の角度をなすように回動すると、その回動に連動して光を照射するように構成されている。また、光照射部２から光を照射した状態のまま第二部材１２を第一部材１１に密着させるように閉じると、自動的に光の照射が遮断され、次回、第二部材１２が第一部材１１に対して所定の角度をなすように回動するとその回動に連動して光照射部２から光が照射されるようになっている。一方、光照射部２の電源がＯＦＦになっている状態においては、第二部材１２を第一部材１１に対して所定の角度をなすように回動させても光照射部２から光は照射されないようになっている。
【００２６】
第一部材１１は、図２に示すように、第二部材１２を格納する凹部１１ｃを有している。第一部材１１の凹部１１ｃには、第二部材１２の先端部１２ｂに対向する斜面部１１ｄが設けられており、斜面部１１ｄには、光照射部２のスイッチ３０が設けられている。スイッチ３０としては、例えば光照射部２のＯＮ／ＯＦＦスイッチや照度調整スイッチ等を採用することができる。第二部材１２の先端部１２ｂには、図１及び図２に示すように、第一部材１１の斜面部１１ｄの形状に対応するような斜面部１２ｄが形成されている。
【００２７】
第一部材１１の斜面部１１ｄと第二部材１２の斜面部１２ｄとは、磁力によって引き合うように構成されている。本実施形態においては、第一部材１１の斜面部１１ｄに磁石を埋め込んでおき、その磁石によって引き付けられる磁性体（例えば鉄等の金属）を第二部材１２の斜面部１２ｄに埋め込んでいる。両者を引き合わせる構成はこれに限られるものではなく、第一部材１１の斜面部１１ｄに磁性体を埋め込み、第二部材１２の斜面部１２ｄに磁石を埋め込んでもよい。
【００２８】
光照射部２を使用しない状態においては、本体部１０は、図１及び図３に示すように、第一部材１１と第二部材１２とが重ねられた状態で同一方向に延在して筐体を構成するようになっており、この際、第二部材１２の斜面部１２ｄが第一部材１１の斜面部１１ｄに対向することによりスイッチ３０が被覆されるようになっている。この状態における筐体は、図１及び図３に示すように、長手方向における寸法Ｌが幅方向における寸法Ｗ及び厚さ方向における寸法Ｔよりも長く、かつ、厚さ方向における寸法Ｔが幅方向における寸法Ｗよりも短い長尺薄型の筐体とされている。そして、本体部１０は、図３に示すように、テーブル１００の平坦面１１０の一辺１０１に沿って筐体の長手方向が延在するように、かつ、テーブル１００平坦面１１０に略平行に筐体の厚さ方向が延在するように配置されるようになっている。またこのとき、本体部１０は、図３に示すように、筐体を構成する一つの面（上面）１０ａが平坦面１１０と略面一となるように配置されるようになっている。
【００２９】
また、本体部１０の第一部材１１には、図１及び図２に示すように、電源供給用及び／又は信号伝送用の端子部１３が設けられている。端子部１３は、本体部１０の第一部材１１の面のうち、テーブル１００の平坦面１１０の略面一となるように配置される面（上面）１０ａとは異なる面（上面１０ａと反対側の面）に設けられている。このようにすることにより、本体部１０（筐体）の上面１０ａをテーブル１００の平坦面１１０と略面一とするように本体部１０を配置したときに端子部１３が露出することを防ぐことができる。
【００３０】
取付部２０は、テーブル１００の縁部を挟持するように構成された断面Ｃ字状の挟持部２１と、挟持部２１に本体回動軸Ａ1を中心に回動するように取り付けられた回動部２２と、を有している。図３に示すように取付部２０の挟持部２１を（ネジ等を介して）テーブル１００の縁部に固定し、図１及び図２に示すように取付部２０の回動部２２にロッド２３を介して本体部１０の第一端部１１ａを固定することにより、本体部１０がテーブル１００に取り付けられるようになっている。
【００３１】
次に、図３〜図５を用いて、本実施形態に係る照明具１の使用方法について説明する。
【００３２】
まず、ユーザは、照明具１の取付部２０を介して本体部１０をテーブル１００の縁部に取り付ける。そして、ユーザは、照明具１の光照射部２を使用しないとき（テーブル１００の平坦面１１０を光照射部２で照らす必要がないとき）には、図３に示すように、照明具１の本体部１０の第一部材１１と第二部材１２とを重ねた状態で同一方向に延在させて筐体を構成し、本体部１０（筐体）の上面１０ａを、テーブル１００の平坦面１１０と略面一となるように配置する（第一の形態）。
【００３３】
一方、ユーザは、照明具１の光照射部２を使用するとき（テーブル１００の平坦面１１０を光照射部２で照らす必要があるとき）には、まず図４に示すように、第一の形態とされている照明具１の本体部２を、本体回動軸Ａ1を中心として例えば９０°回動させることにより、光照射部２がテーブル１００の平坦面１１０よりも鉛直方向上方に位置するようにし、次いで、図５に示すように、本体部２の第二部材を、部材回動軸Ａ2を中心として第一部材１１に対して回動させることにより、第二部材１２が第一部材１１に対して所定の角度（例えば９０°）をなすようにする（第二の形態）。本体部１０の形態が第一の形態から第二の形態に移行すると、第一部材１１の斜面部１１ｄが露出し、第二部材１２の回動に連動して光照射部２が光を照射するようになっている。
【００３４】
以上説明した実施形態に係る照明具１においては、テーブル１００の平坦面１１０を照らす必要がないときには「第一の形態」をとり、テーブル１００の平坦面１１０を照らす必要があるときには「第二の形態」をとることができる。「第一の形態」においては、略直方体状を呈する筐体として本照明具１の本体部１０を構成し、筐体の上面１０ａがテーブル１００の平坦面１１０と略面一となるように本体部１０を配置するため、本照明具１の本体部１０がテーブル１００の平坦面１１０より鉛直方向上方に突出することがない。従って、ユーザがテーブル１００の平坦面１１０を使用して作業を行う際に、本照明具１の本体部１０がユーザの作業を妨げることを防止することができる。一方、「第二の形態」においては、本照明具１の光照射部２をテーブル１００の平坦面１１０よりも鉛直方向上方に位置させることができるため、光照射部２からテーブル１００の平坦面１１０へと光を照射することができる。
【００３５】
また、以上説明した実施形態に係る照明具１においては、長手方向における寸法Ｌが幅方向の寸法Ｗ及び厚さ方向における寸法Ｔよりも長く、かつ、厚さ方向における寸法Ｔが幅方向における寸法Ｗよりも短い長尺薄型の筐体（本体部１０）を採用し、第一の形態においては、テーブル１００の平坦面１１０の一辺１０１に沿って筐体の長手方向が延在するようにかつ平坦面１１０に略平行に筐体の厚さ方向が延在するように本体部１０を配置することができる。従って、第一の形態における本体部１０がテーブル１００の側面１２０から側方へと突出する寸法を最小限（最も短い厚さ方向における寸法Ｔ）とすることができるため、第一の形態における本体部１０がユーザの作業を妨げることをより効果的に防止することができる。
【００３６】
また、以上説明した実施形態に係る照明具１においては、第一の形態において、長尺薄型の第一部材１１と第二部材１２とを重ねた状態で同一方向に延在させて筐体（本体部１０）を構成し、第一の形態から第二の形態へと移行する際に、第一部材１１の第二端部１１ｂがテーブル１００の平坦面１１０よりも鉛直方向上方に位置するように本体回動軸Ａ1を中心として筐体（本体部１０）を回動させ、かつ、第二部材１２が第一部材１１に対して所定の角度をなすように部材回動軸Ａ2を中心として第一部材１１に対して第二部材１２を回動させ、第二部材１２の回動に連動させて光照射部２を照射することができる。すなわち、第一の形態から第二の形態へと移行させる際の二段階の回動動作を経て自動的に光照射部２を作動させて光を照射することができる。
【００３７】
また、以上説明した実施形態に係る照明具１においては、第一の形態において、光照射部２のスイッチ３０が設けられた第一部材１１の斜面部１１ｄを第二部材１２の先端部１２ｂ（斜面部１２ｄ）によって被覆して保護することができる。一方、第二の形態においては、第二部材１２を第一部材１１に対して回動させて第一部材１１の斜面部１１ｄを露出させ、スイッチ３０を操作することができる。また、第一部材１１の斜面部１１ｄに光照射部２のスイッチ３０が設けられているため、操作性を向上させることができる。さらに、第一部材１１の凹部１１ｃに斜面部１１ｄを設けることにより、第二部材１２の先端部１２ｂ（斜面部１２ｄ）の形状が歪んでいる場合においても第二部材１２を第一部材１１に密着させることができる（第一部材１１の凹部１１ｃに斜面部１１ｄが設けられていないと、第二部材１２の先端部１２ｂの形状が歪んでいる場合に第二部材１２の角が第一部材１１に当たって第二部材１２が第一部材１１の凹部１１ｃに嵌合しない可能性がある）。また、第一部材１１の凹部１１ｃに斜面部１１ｄを設けることにより、第一部材１１をよりシャープに見せることができ、照明具１の美観を向上させることができる。
【００３８】
また、以上説明した実施形態に係る照明具１においては、第一部材１１の斜面部１１ｄと第二部材１２の斜面部１２ｄとが磁力によって引き合うように構成されているため、第一の形態において、第一部材１１の斜面部１１ｄから第二部材１２の斜面部１２ｄが離隔してスイッチ３０が露出することを防ぐことができる。
【００３９】
また、以上説明した実施形態に係る照明具１においては、電源供給用及び／又は信号伝送用の端子部１３を、第一の形態において筐体（本体部１０）の上面１０ａとは異なる面に配置しているため、第一の形態における筐体（本体部１０）の上面１０ａをテーブル１００の平坦面１１０と略面一とするように本体部１０を配置したときに端子部１３が露出することを防ぐことができ、端子部１３に異物が侵入することを防止することができる。
【００４０】
なお、本実施形態においては、第一の形態において、筐体の上面１０ａをテーブル１００の平坦面１１０と略面一とするように本体部１０を配置した例を示したが、上面１０ａをテーブル１００の平坦面１１０よりも鉛直方向下方に位置させるように本体部１０を配置してもよい。
【００４１】
また、本実施形態においては、本照明具１が取り付けられる什器としてテーブル１００を挙げた例を示したが、平坦面を有する他の什器（例えば勉強机等）に本実施形態に係る照明具１を取り付けることもできる。
【００４２】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４３】
１…照明具
２…光照射部
１０…本体部
１０ａ…（筐体の）上面
１１…第一部材
１１ａ…第一端部
１１ｂ…第二端部
１１ｃ…凹部
１１ｄ…斜面部
１２…第二部材
１２ｂ…先端部（部材回動軸と反対側の端部）
１３…端子部
２０…取付部
３０…スイッチ
１００…テーブル（什器）
１０１…一辺
１１０…平坦面
１２０…側面
Ａ1…本体回動軸
Ａ2…部材回動軸
Ｌ…（筐体の）長手方向における寸法
Ｔ…（筐体の）厚さ方向における寸法
Ｗ…（筐体の）幅方向における寸法
【図１】
2020194750.tif 000003
【図２】
2020194750.tif 000004
【図３】
2020194750.tif 000005
【図４】
2020194750.tif 000006
【図５】
2020194750.tif 000007